(57)【要約】【課題】簡単な構成で車体の剛性を効果的に向上させることにより、車両の衝突時に作用する衝突エネルギーを効果的に吸収できるようにする。【解決手段】ダッシュパネル１の設置部から車両の前方側へ延びる左右一対のフロントサイドフレーム２，２と、ダッシュパネル１の下端部に連続して車室の底面部を形成するフロアパネルと、このフロアパネルの車幅方向中央部を車室内側に膨出させることにより車体の前後方向に延びるように設置されたトンネル部４とを備えた車両の下部車体構造であって、上記フロントサイドフレーム２の後端部からフロアパネルに沿って車両の後方側へ延びるフロアフレーム５が設けられ、このフロアフレーム５は、その後方部が車幅方向外方側を指向するように傾斜して設置されるとともに、車両の後部左右に配設されたリヤサイドフレーム９の前端部に上記フロアフレーム５の後端部が接続された。【選択図】図２
2010167819.tif 000002
【特許請求の範囲】
【請求項１】
車室前部とエンジンルームとを仕切るように設置されたダッシュパネルと、このダッシュパネルの設置部から車両の前方側へ延びる左右一対のフロントサイドフレームと、上記ダッシュパネルの下端部に連続して車室の底面部を形成するフロアパネルと、このフロアパネルの車幅方向中央部を車室内側に膨出させることにより車体の前後方向に延びるように設置されたトンネル部とを備えた車両の下部車体構造であって、上記フロントサイドフレームの後端部からフロアパネルに沿って車両の後方側へ延びるフロアフレームが設けられ、このフロアフレームは、その後方部が車幅方向外方側を指向するように傾斜して設置されるとともに、車両の後部左右に配設されたリヤサイドフレームの前端部に上記フロアフレームの後端部が接続されたことを特徴とする車両の下部車体構造。
【請求項２】
上記フロアパネルの車幅方向両側方部には、車両の前後方向に延びる閉断面形状のサイドシルが設けられるとともに、このサイドシルの後端部近傍に、上記フロアフレームの後端部が接続されたことを特徴とする請求項１に記載の車両の下部車体構造。
【請求項３】
上記フロアフレームの前後方向中間部から、上記トンネル部に向かって車幅方向内方側に傾斜しつつ車両の後方側へ延びるフロアサブフレームが設けられたことを特徴とする請求項１または２に記載の車両の下部車体構造。
【請求項４】
上記フロアパネル上に乗員用シートが配設され、この乗員用シートに着座した乗員の足置き部が、上記フロアフレームとフロアサブフレームとの間に設けられたことを特徴とする請求項３に記載の車両の下部車体構造。
【請求項５】
上記サイドシルの前部とフロントサイドフレームの後端部とを連結する閉断面形状のトルクボックスが設けられたことを特徴とする請求項２〜４のいずれか１項に記載の車両の下部車体構造。
【請求項６】
上記トルクボックスは、その後辺部が上記サイドシルに近づくに従って車体の後方側に位置するように傾斜して設置されたことを特徴とする請求項５に記載の車両の下部車体構造。
【発明の詳細な説明】
【技術分野】
【０００１】
本発明は、左右一対のフロントサイドフレームおよびフロアパネルの車幅方向中央部に設置されたトンネル部を備えた車両の下部車体構造の改良に関するものである。
【背景技術】
【０００２】
従来、下記特許文献１に示されるように、車体重量の増加を抑制しつつ、車体の剛性を大きくすることを目的として、車体前部で車幅方向中心線を挟んで左右に設けたフロントサイドフレームと、車体後部で車幅方向中心線を挟んで左右に設けたリヤサイドフレームと、車体を側面から見たときにフロントサイドフレームとリヤサイドフレームよりも低く車幅方向中心線を挟んで左右に設けたフロアフレームまたはサイドシルとをそれぞれ連結し、フロントサイドフレームとリヤサイドフレームとの間で車幅方向中心線に沿ってフロアフレーム又はサイドシルよりも上方に突出する下開放コ字状断面構造のフロアトンネルを設けた車体構造において、前記フロアトンネルの上部に閉断面構造の補助フレームを設け、この補助フレームを前記フロントサイドフレームと前記リヤサイドフレームとに閉断面構造の延長部により接合することが行われている。
【０００３】
また、下記特許文献２に示されるように、オープンカーにも対応できる程度に車体の曲げ剛性及び捩り剛性を向上させることを目的として、車室の床面を形成するように設けられたフロアパネルと、該フロアパネルの車両前後方向の前端上方位置に車幅方向に延びるように設けられたカウルボックスと、上記フロアパネル及びカウルボックスを互いに接続するように設けられ、上端フランジが該カウルボックスに接合されてなるダッシュパネルと、該ダッシュパネルの車幅方向中央から後方に向かって延びるようにフロアパネル上に設けられたトンネル部と、車両前後方向に延びかつ車幅方向に並ぶように設けられた左右一対のサイドフレームとを備えた自動車の下部車体構造において、上記ダッシュパネルに沿ってトンネル部を跨ぐように設けられ、上記両サイドフレームの車室前方に位置するフロント部同士を連結するとともに、該ダッシュパネルと協働して閉断面を形成するダッシュクロスメンバと、車幅方向に延びるように設けられ、上記両サイドフレームの車室後方に位置するリヤ部同士を連結するリヤクロスメンバと、上記トンネル部に沿って車両前後方向に延びるように設けられ、該トンネル部と協働して閉断面を形成するトンネルレインフォースメントとを備え、上記トンネルレインフォースメントの前端側を上記ダッシュクロスメンバの車幅方向中央に結合し、かつ後端側を上記リヤクロスメンバの車幅方向中央に連結した構造が知られている。
【先行技術文献】
【特許文献】
【０００４】
【特許文献１】特開２０００−２３８６６７号公報
【特許文献２】特開平０９−１１８２５２号公報
【発明の概要】
【発明が解決しようとする課題】
【０００５】
上記特許文献１に開示されているように、フロアトンネルの上部に設けられた閉断面構造の補助フレームを閉断面構造の延長部によりフロントサイドフレームおよびリヤサイドフレームにそれぞれ接続するように構成した場合には、車両の前突時等に上記フロントサイドフレームに入力された衝突エネルギーを、このフロントサイドフレームと概ね同一高さにある補助フレームからリヤサイドフレームに伝達することにより、これらの各部材全体で上記衝突エネルギーを効率よく吸収できるという利点がある。しかし、この特許文献１に開示された車両の車体構造では、車体の下方部に伝達された衝突エネルギーを効果的に吸収することができず、上記トンネル部（フロアトンネル）をフロアパネルに設けることによる車体剛性の向上効果が充分に得られないという問題がある。
【０００６】
また、上記特許文献２においても、フロアパル上に設置されたセンタクロスメンバを介して左右のサイドシル、サイドフレームおよびフロアトンネル部の上面に設置されたトンネルトップレインフォースメントを連結することにより、フロアトンネル部の上方部分を補強するようにした構成が開示されているが、この構成においても、車体の下方部に伝達された衝突エネルギーを効果的に吸収することができないという問題がある。
【０００７】
本発明は、上記の問題点に鑑みてなされたものであり、簡単な構成で車体の剛性を効果的に向上させることにより、車両の衝突時に作用する衝突エネルギーを効果的に吸収できるようにすることを目的としている。
【課題を解決するための手段】
【０００８】
請求項１に係る発明は、車室前部とエンジンルームとを仕切るように設置されたダッシュパネルと、このダッシュパネルの設置部から車両の前方側へ延びる左右一対のフロントサイドフレームと、上記ダッシュパネルの下端部に連続して車室の底面部を形成するフロアパネルと、このフロアパネルの車幅方向中央部を車室内側に膨出させることにより車体の前後方向に延びるように設置されたトンネル部とを備えた車両の下部車体構造であって、上記フロントサイドフレームの後端部からフロアパネルに沿って車両の後方側へ延びるフロアフレームが設けられ、このフロアフレームは、その後方部が車幅方向外方側を指向するように傾斜して設置されるとともに、車両の後部左右に配設されたリヤサイドフレームの前端部に上記フロアフレームの後端部が接続されたものである。
【０００９】
請求項２に係る発明は、上記請求項１に記載の車両の下部車体構造において、上記フロアパネルの車幅方向両側方部には、車両の前後方向に延びる閉断面形状のサイドシルが設けられるとともに、このサイドシルの後端部近傍に、上記フロアフレームの後端部が接続されたものである。
【００１０】
請求項３に係る発明は、上記請求項１または２に記載の車両の下部車体構造において、上記フロアフレームの前後方向中間部から、上記トンネル部に向かって車幅方向内方側に傾斜しつつ車両の後方側へ延びるフロアサブフレームが設けられたものである。
【００１１】
請求項４に係る発明は、上記請求項３に記載の車両の下部車体構造において、上記フロアパネル上に乗員用シートが配設され、この乗員用シートに着座した乗員の足置き部が、上記フロアフレームとフロアサブフレームとの間に設けられたものである。
【００１２】
請求項５に係る発明は、上記請求項２〜４のいずれか１項に記載の車両の下部車体構造において、上記サイドシルの前部とフロントサイドフレームの後端部とを連結する閉断面形状のトルクボックスが設けられたものである。
【００１３】
請求項６に係る発明は、上記請求項５に記載の車両の下部車体構造において、上記トルクボックスの後辺部が、サイドシルに近づくに従って車体の後方側に位置するように傾斜して設置されたものである。
【発明の効果】
【００１４】
請求項１に係る発明では、上記フロントサイドフレームの後端部に連設されたフロアフレームの後方部を車幅方向外方側に向けて傾斜させ、かつその後端部を、車両の後部左右に配設されたリヤサイドフレームの前端部に接続するように構成したため、車両の前突時に、上記フロントサイドフレームからフロアフレームに入力された衝突エネルギーをリヤサイドフレームに伝達することにより安定して支持することができる。したがって、車両の前突時に、フロントサイドフレームからフロアフレームを介して車体の下方部に伝達された衝突エネルギーを車体の後方側に分散させて支持することが可能であり、車両の前突荷重に対する車体の剛性を簡単な構成で効果的に向上できるという利点がある。
【００１５】
請求項２に係る発明では、フロアパネルの車幅方向両側方部に配設された閉断面形状のサイドシルの後端部近傍に、上記フロアフレームの後端部を接続するように構成したため、フロントサイドフレームからフロアフレームに入力された衝突エネルギーを支持する支持部材として上記サイドシルを利用することにより、車両の前突荷重に対する車体の剛性を、簡単な構成でより効果的に向上させることができる。
【００１６】
請求項３に係る発明では、上記フロアフレームの前後方向中間部から、トンネル部に向かって車幅方向内方側に傾斜しつつ車両の後方側へ延びるように上記フロアサブフレームを配設したため、車両の前突時に上記フロアフレームに入力された衝突エネルギーを、フロアサブフレームを介してトンネル部側に伝達することにより、これを安定して支持することが可能であり、ルーフのないオープンカー等においても、簡単な構成で車体の剛性を充分に確保し、車両の衝突時における車体の変形を効果的に防止できるという利点がある。
【００１７】
請求項４に係る発明では、車室の後部に配設された乗員用シートに着座した乗員の足置き部を、上記フロアフレームの後部とフロアサブフレームとの間に設けた構造としたため、上記フロアパネルの上面に補強部材が突出した状態となることに起因して足置きスペースが狭められることを防止しつつ、上記フロアフレームおよびフロアサブフレームにより補強されたフロアパネルの上面部を上記乗員用シートに着座した乗員の足を安定して載置できるという利点がある。
【００１８】
請求項５に係る発明では、上記サイドシルの前部とフロントサイドフレームの後端部とを連結する閉断面形状のトルクボックスを設けたため、車両の衝突時に上記フロアフレームおよびトルクボックスを介して上記サイドシルに衝突エネルギーを効率よく伝達して支持することが可能であり、車両の前突荷重に対する車体の剛性を、簡単な構成でより効果的に向上させることができる。
【００１９】
請求項６に係る発明では、上記トルクボックスの後辺部を、サイドシルに近づくに従って車体の後方側に位置させるように傾斜させて設置したため、上記フロントサイドフレームからトルクボックスに入力された衝突エネルギーの伝達方向を、トルクボックスから後部外方側へ変換することにより、上記衝突エネルギーをサイドシルに対してスムーズに伝達することが可能であり、このサイドシルにより上記衝突エネルギーを安定して支持できるという利点がある。
【図面の簡単な説明】
【００２０】
【図１】本発明に係る車両の下部車体構造の実施形態を示す平面図である。
【図２】下部車体フレームの具体的構造を示す平面図である。
【図３】図１のＩＩＩ−ＩＩＩ線断面図である。
【図４】図１のＩＶ−ＩＶ線断面図である。
【図５】図１のＶ−Ｖ線断面図である。
【図６】乗員用シートの設置状態を示す平面図である。
【図７】乗員用シートの設置状態を示す側面図である。
【図８】シートスライドレールの取付状態を示す正面断面図である。
【図９】後席シートに着座した乗員の足置部を示す平面図である。
【発明を実施するための形態】
【００２１】
図１〜図４は、本発明に係る車両の下部車体構造の実施形態を示している。この下部車体構造は、車室前部とエンジンルームとを仕切るように設置されたダッシュパネル１と、このダッシュパネル１の設置部から車両の前方側へ延びる左右一対のフロントサイドフレーム２，２と、上記ダッシュパネル１の下端部に連続して車室の底面部を形成するフロアパネル３と、このフロアパネル３の車幅方向中央部を車室内側（上方）に膨出させることにより車体の前後方向に延びるように設置されたトンネル部４とを有し、このトンネル部４の上面左右には、閉断面形状のトンネルレインフォースメント４ａ，４ａが車体の前後方向に延びるように設置されている（図４参照）。
【００２２】
また、上記フロアパネル３の下面には、フロントサイドフレーム２，２の後端部に連続して車体の前後方向に延びる左右一対のフロアフレーム５，５が設けられるとともに、このフロアフレーム５の前後方向中間部から、上記トンネル部４に向かって車幅方向内方側に傾斜しつつ車両の後方側へ延びるフロアサブフレーム６が配設されている。また、上記フロアパネル３の車幅方向両側方部には、アウタパネル７ａとインナパネル７ｂとを備えた閉断面形状のサイドシル７，７が配設され、上記インナパネル７ｂの上下方向中間部にフロアパネル３の側端フランジ部３ａがスポット溶接される等により固定されている。
【００２３】
上記ダッシュパネル１は、図３に示すように、カウルボックス（図示せず）の下面から真鍮下方に延びるように設置されたダッシュアッパ部１ａと、その下端部に連設されたダッシュロア部１ｂとを有している。このダッシュロア部１ｂは、前上がりの傾斜状態で車両の前後方向に延びるように設置されるとともに、その後端部にフロアパネル３の前端フランジ部３ｂが接続されている。
【００２４】
上記フロントサイドフレーム２は、前輪用サスペンション部材（図示せず）等の設置スペースを確保するために、車両の側壁面から所定距離だけ車幅方向内方側に位置する部位において、車両の前方側へ略直線状に延びるように設置された前方部２ａと、その後端部から後下がりに傾斜しつつ車体の後方側へ延びるように設置された後方部２ｂとを備えている。また、左右のフロントサイドフレーム２，２の前端部には、フロントクロスメンバ８が車幅方向に延びるように設置されている。
【００２５】
上記フロアフレーム５は、図４に示すように、左右一対の側壁５ａ，５ａと、その下端部間に設置された底壁部５ｂと、上記側壁５ａ，５ａの上端部に連設された左右一対の接合フランジ部５ｃ，５ｃとにより断面ハット型に形成されている。そして、フロアフレーム５は、上記フロントサイドフレーム２の後端部から車体の後方側へ延びるように設置された状態で、上記接合フランジ部５ｃ，５ｃがフロアパネル３の下面にスポット溶接される等により固定されている。また、上記フロアフレーム５は、図２に示す平面視において、その後方部が車幅方向外方側を指向するように傾斜して設置されるとともに、その後端部が、車両の後部左右に配設されたリヤサイドフレーム９，９の前端部および上記サイドシル７の後端部近傍に接続されている。
【００２６】
上記リヤサイドフレーム９は、後輪（図示せず）用の設置スペースを確保するために、車両の側壁面から所定距離だけ車幅方向内方側に位置する部位において、車体の後端部から車両の前方側へ略直線状に延びるように設置された後方部９ａと、その前端部から側面視で前下がりに傾斜しつつ、平面視で前方部が車幅方向外方側を指向するように傾斜して設置された前方部９ｂとからなり、この前方部９ｂの前端部に上記フロアフレーム５およびサイドシル７の後端部が接続されている。また、上記左右のリヤサイドフレーム９，９を互いに連結する前後一対のリヤクロスメンバ１１，１２が車幅方向に延びるように設置されている。
【００２７】
上記フロアサブフレーム６は、フロアフレーム５の前後方向中間部からフロアパネル３の下面に沿って平面視で後方内向きに傾斜しつつ、トンネル部４の下方側へ延びる傾斜部６ａと、この傾斜部６ａの後端部から上記トンネル部４に沿って車体の後方側へ延びる後方部６ｂとからなり、このフロアサブフレーム６の後方部６ｂによりトンネル部４の下方部分が補強されるようになっている。そして、上記フロアフレーム５と、フロアサブフレーム６の傾斜部６ａとにより平面視で略Ｙ字形の分岐フレームが構成され、かつ上記フロアサブフレーム６の後方部６ｂと上記フロアフレーム５とが、図５に示すように、フロアパネル３の下方に配設された強度部材１３により接続されている。
【００２８】
上記強度部材１３は、フロアパネル３の下方においてフロアフレーム５とフロアサブフレーム６とを連結する連結パイプ１４と、その左右両端部に挿入されて固着されたナット１５と、上記フロアフレーム５およびフロアサブフレーム６に形成された挿通孔をそれぞれ貫通して設置される左右一対のねじ軸１６と、各ねじ軸１６にそれぞれ螺着された３個のナット１７〜１９とを有している。そして、上記ねじ軸１６の一端部が、フロアフレーム５またはフロアサブフレーム６の内側壁部に形成された挿通孔を貫通して上記連結パイプ１４のナット１５に螺着されるとともに、上記フロアフレーム５またはフロアサブフレーム６の内側壁部が、上記ナット１５，１７を介して内外から挟持されることにより、上記ねじ軸１６の一端部が連結パイプ１４の側端部に固定されている。
【００２９】
また、上記ねじ軸１６の他端端部がフロアフレーム５またはフロアサブフレーム６の外側壁部に形成された挿通孔を貫通し、この外側壁部が、ねじ軸１６に螺着されたナット１８，１９を介して内外から挟持されることにより、上記ねじ軸１６の他端部がフロアフレーム５またはフロアサブフレーム６の外側壁部に固定されている。このようにしてフロアサブフレーム６の後方部６ｂと上記フロアフレーム５とが強度部材１３を介して連結されることにより、上記フロアフレーム５およびフロアサブフレーム６の設置間隔が拡開変形すること等が効果的に防止されるとともに、車両の側突時に、上記フロアフレーム５に入力された衝突エネルギーが、上記強度部材１３およびフロアサブフレーム６を介してトンネル部４に伝達されるようになっている。
【００３０】
上記フロアパネル３上には、図６および図７に示すように、フロアフレーム５の設置部とフロアサブフレーム６の設置部とに跨るように運転席または助手席等からなる前列の乗員用シート２０が設置され、この乗員用シート２０がシートスライドレール２１を介してスライド自在に支持されている。このシートスライドレール２１は、フロアフレーム５に対するフロアサブフレーム６の接続部に対応した前後位置においてフロアパネル３上に設置された前部ブラケット２２と、上記フロアフレーム５の後方部およびフロアサブフレーム６の後方部６ｂの前端部に対応する位置において上記フロアパネル３上に設置された後部ブラケット２３と、上記前部ブラケット２２，２２および後部ブラケット２３，２３上に設置された左右一対のロアレール２４，２４と、左右のロアレール２４，２４を連結する前後一対の連結フレーム２５，２５とを有している。また、上記乗員用シート２０の底部に固定された図外のアッパレールが、上記ロアレール２４，２４に沿ってスライド可能に支持されている。
【００３１】
そして、図８に示すように、上記ロアレール２４，２４の後端部をフロアパネル３に固定する取付ボルト２６が、上記後部ブラケット２３、フロアパネル３およびフロアフレーム５またはフロアサブフレーム６の挿通孔を貫通してその下方に導出され、この導出部に上下一対のナット２７，２７が螺着されることにより、上記フロアフレーム５またはフロアサブフレーム６の底壁部が挟持された状態で、上記ロアレール２４，２４の後端部がフロアフレーム５およびフロアサブフレーム６の設置部に固定されている。また、同様にして、上記ロアレール２４，２４の前端部をフロアパネル３に固定する取付ボルトが、上記前部ブラケット２２およびフロアパネル３等に形成された挿通孔を貫通してフロアパネル３の下方に導出され、この導出部にナットが螺着されることにより、上記ロアレール２４，２４の前端部がフロアフレーム５およびフロアサブフレーム６の設置部近傍に固定されている。
【００３２】
上記前列の乗員用シート２０の後方部に位置するフロアパネル３上には、図７に示すように、後列の乗員用シート３０が配設されるとともに、図９に示すように、この乗員用シート３０に着座した乗員の足置き部３１が、上記フロアフレーム５の後部およびフロアサブフレーム６の設置部に形成されている。具体的には、上記フロアフレーム５の後方部がサイドシル７に近接した位置に配設されるとともに、上記フロアサブフレーム６の後方部６ｂがトンネル部４に沿って設置されることにより、下面部が補強された上記フロアパネル３の所定の範囲が、上記乗員用シート３０に着座した乗員の足置き部３１として利用されるようになっている。
【００３３】
上記フロントサイドフレーム２の後端部外側面には、図２〜図４に示すように、ダッシュロア部１ｂの下面に沿って車体の車幅方向外方側に延びるトルクボックス３２が設けられ、このトルクボックス３２を介して上記サイドシル７の前部とフロントサイドフレーム２の後端部とが連結されている。上記トルクボックス３２は、ダッシュロア部１ｂに沿ってその下方側へ延びる前壁３３と、その下端部から上記ダッシュロア部１ｂの下面との間に所定の間隔を隔てて車両の後方側へ延びる底壁３４と、その後端部から上方側へ延びるように設置されて上記ダッシュロア部１ｂないしフロアパネル３の下面に接続される後壁３５とを有するボックス状部材からなっている。そして、上記トルクボックス３２の後壁３５からなる後辺部が、上記サイドシル７に近づくに従い、つまり車幅方向外方側に至るに従って車体の後方側に位置するように傾斜して設置され、かつ上記後壁３５の外端部３５ａがダッシュロア部１ｂの後端を超える位置まで延設されている。
【００３４】
上記構成において、車両に前突事故が発生して上記フロントサイドフレーム２に衝撃エネルギーが入力されると、この衝突エネルギーは、図３の矢印Ｐ１に示すように、フロントサイドフレーム２の傾斜部２ａを介して上記ダッシュパネル１に伝達され、その一部が、図２の矢印Ｐ２に示すように、上記トルクボックス３２を介してサイドシル７に伝達されるとともに、ダッシュパネル１に固着された図略のダッシュクロスメンバを介してトンネル部４に伝達され、かつ上記衝突エネルギーの残りが、図２の矢印Ｐ３に示すように、上記フロントサイドフレーム２の後端部からフロアフレーム５に伝達される。
【００３５】
上記トルクボックス３２の後壁３５からなる後辺部は、サイドシル７に近づくに従って車体の後方側に位置するように傾斜して設置されている。このため、上記フロントサイドフレーム２からトルクボックス３２に入力された衝突エネルギーの伝達方向Ｐ２が、トルクボックス３２を介して後部外方側へと変換されることにより、上記衝突エネルギーがサイドシル７に対してスムーズに伝達される。そして、このサイドシル７からリヤサイドフレーム９に上記衝突エネルギーが伝達されることにより安定して支持されることになる。
【００３６】
また、車両の前突時に、図２の矢印Ｐ３に示すように、上記フロントサイドフレーム２からフロアフレーム５に入力された衝突エネルギーは、その一部が矢印Ｐ４に示すように、上記フロアサブフレーム６からトンネル部４の下方側へと伝達されて支持されるとともに、残りの衝突エネルギーが、フロアパネル３の下面に沿って設置された上記フロアフレーム５を介してサイドシル７の後端部側およびリヤサイドフレーム９の前端部に伝達されることにより、安定して支持されるようになっている。
【００３７】
さらに、車両の側面に他車が衝突する側突時には、上記サイドシル７およびフロアパネル３等を介して上記フロアフレーム５の前後方向中間部を車幅方向に押動する衝突エネルギーが作用し（図２の矢印Ｑ参照）、この衝突エネルギーが、フロアパネル３の下方側に配設された上記強度部材１３により支持されつつ、フロアサブフレーム６およびトンネル部４に伝達されることなる。したがって、上記フロアサブフレーム６とフロアフレーム５とを連結する上記強度部材１３を設けることにより、車両の側突時に入力された衝撃エネルギーに応じて車室の底面部等が変形するのを効果的に防止できるとともに、側突荷重に対する車体の剛性を効果的に向上させることができる。
【００３８】
上記のように車室前部とエンジンルームとを仕切るように設置されたダッシュパネル１と、このダッシュパネル１の設置部から車両の前方側へ延びる左右一対のフロントサイドフレーム２，２と、上記ダッシュパネル１の下端部に連続して車室の底面部を形成するフロアパネル３と、このフロアパネル３の車幅方向中央部を車室内側に膨出させることにより車体の前後方向に延びるように設置されたトンネル部４とを備えた車両の下部車体構造において、上記フロントサイドフレーム２の後端部からフロアパネル３に沿って車両の後方側へ延びる左右一対のフロアフレーム５，５を設け、このフロアフレーム５の後方部を、車幅方向外方側に傾斜させて設置するとともに、車両の後部左右に配設されたリヤサイドフレーム７の前端部に上記フロアフレーム５の後端部を接続したため、簡単な構成で車体の剛性を効果的に向上させることができ、車両の衝突時に作用する衝突エネルギーを効果的に吸収できるという利点がある。
【００３９】
すなわち、上記フロントサイドフレーム２の後端部に連設されたフロアフレーム５の後方部を車幅方向外方側に向けて傾斜させ、かつその後端部を、車両の後部左右に配設されたリヤサイドフレーム９の前端部に接続するように構成したため、車両の前突時に、上記フロントサイドフレーム２からフロアフレーム５に入力された衝突エネルギーをリヤサイドフレーム９に伝達することにより安定して支持することができる。したがって、車両の前突時に、フロントサイドフレーム２からフロアフレーム５を介して車体の下方部に伝達された衝突エネルギーを車体の後方側に分散させて支持することが可能であり、車両の前突荷重に対する車体の剛性を簡単な構成で効果的に向上できるという利点がある。
【００４０】
また、上記実施形態に示すように、フロアパネル３の車幅方向両側方部に配設された閉断面形状のサイドシル７の後端部近傍に、上記フロアフレーム５の後端部を接続するように構成した場合には、フロントサイドフレーム２からフロアフレーム５に入力された衝突エネルギーを支持する支持部材として上記サイドシル７を利用できるため、車両の前突荷重に対する車体の剛性を、簡単な構成でより効果的に向上させることができる。
【００４１】
さらに、上記実施形態では、フロアフレーム５の前後方向中間部から、上記トンネル部４に向かって車幅方向内方側に傾斜しつつ車両の後方側へ延びるフロアサブフレーム６を配設したため、車両の前突時に上記フロアフレーム５に入力された衝突エネルギーを、フロアサブフレーム６を介してトンネル部４側に伝達することにより、これを安定して支持することができる。したがって、ルーフのないオープンカー等においても、簡単な構成で車体の剛性を充分に確保し、車両の衝突時における車体の変形を効果的に防止できるという利点がある。
【００４２】
特に、上記実施形態に示すように、フロアパネル３の下方側に配設された強度部材１３により上記フロアサブフレーム６とフロアフレーム５とを連結するように構成した場合には、車両の側突時に、車体側部から入力された衝突エネルギーを、上記強度部材１３によりフロアサブフレーム６およびトンネル部４に効率よく伝達して、これを安定して支持することができる。しかも、車両の前突時に車体前部から入力された衝突エネルギーを、フロアパネル３の下面に沿って設置された上記フロアフレーム５により車両の後方側へ伝達するとともに、フロアサブフレーム６を介して上記衝突エネルギーの一部をトンネル部４側に伝達する際に、上記フロアフレーム５およびフロアサブフレーム６の設置間隔が拡開変形すること等を効果的に防止した状態で、上記衝突エネルギーを安定して支持できるという利点がある。
【００４３】
さらに、上記実施形態では、フロアサブフレーム６の後方部６ｂをトンネル部４に沿って車体の前後方向に延びるように設置することにより、上記フロアサブフレーム６の後方部６ｂを介してトンネル部４を補強するように構成したため、フロアパネル３の車幅方向中央部近傍における車体の剛性を効果的に向上させることができる。したがって、車両の前突時または側突時に、上記トンネル部４の設置部に伝達された衝突エネルギーを効果的に支持して車体の変形を確実に抑制できるという利点がある。
【００４４】
また、図９に示すように、車室の後部に配設された後列の乗員用シート３０に着座した乗員の足置き部３１を、フロアパネル３の下方に配設された上記フロアフレーム５の後部とフロアサブフレーム６との間に設けた構造とした場合には、上記フロアパネル３の上面に補強部材が突出した状態となることに起因して足置きスペースが狭められることを防止しつつ、上記フロアフレーム５およびフロアサブフレーム６により補強されたフロアパネル３の上面部を上記乗員用シート３０に着座した乗員の足を安定して載置できるという利点がある。
【００４５】
上記実施形態では、サイドシル７の前部と上記フロントサイドフレーム２の後端部とを連結する閉断面形状のトルクボックス３２を設けた構造としたため、車両に前突時に、上記フロントサイドフレーム２に入力された衝撃エネルギーの一部を、上記トルクボックス３２からサイドシル７の前部に伝達することにより、安定して支持することができる（図２の矢印Ｐ２参照）。したがって、車両の前突荷重に対する車体の剛性を、簡単な構成でさらに効果的に向上させることができる。
【００４６】
特に、上記実施形態に示すように、トルクボックス３２の後壁３５からなる後辺部をサイドシル７に近づくに従って車体の後方側に位置するように傾斜させた構造とした場合には、上記フロントサイドフレーム２からトルクボックス３２に入力された衝突エネルギーの伝達方向を、トルクボックス３２を介して後部外方側へ変換することにより、上記衝突エネルギーをサイドシル７に対してスムーズに伝達することができるため、このサイドシル７により上記衝突エネルギーを安定して支持できるという利点がある。
【００４７】
また、上記実施形態では、トルクボックス３２をダッシュパネル１の下面、具体的には、上記ダッシュロア部１ｂの下面に沿って設置されたボックス状部材により構成したため、上記トルクボックス３２が車室内に突出した状態で設置されることに起因して車室内スペースが狭められる等の弊害を生じることなく、車両の前突荷重に対する車体の剛性を効果的に向上させることができる。
【００４８】
さらに、上記実施形態では、ダッシュパネル１の下端部に前上がりの傾斜状態で車両の前後方向に延びるダッシュロア部１ｂを設け、その後端部に上記フロアパネル３の前端部を接続した車両の下部車体構造において、上記トルクボックス３２の後壁外端部３５ａをダッシュロア部１ｂの後端を超える位置まで延設したため、車両の前突時に入力される衝撃エネルギーに応じてダッシュロア部１ｂの近傍部が変形すること等を上記トルクボックス３２により効果的に防止できるとともに、このトルクボックス３２を介して上記衝突エネルギーをサイドシル７に効率よく伝達できるという利点がある。
【００４９】
特に、上記実施形態に示すように、フロントサイドフレーム２の後端部からフロアパネル３に沿って車両の後方側へ延びるように設置されたフロアフレーム５の前部に上記トルクボックス３２を接続した構造とした場合には、車両の前突時に、フロントサイドフレーム２に入力された衝突エネルギーを、上記トルクボックス３２からサイドシル７およびフロアフレーム５に分散させて効率よく伝達することができるため、上記衝突エネルギーを、さらに効果的に支持できるという利点がある。
【００５０】
上記実施形態では、上記フロアパネル３の車幅方向両側方部に、車両の前後方向に延びる閉断面形状のサイドシル７を設けるとともに、このサイドシル７の前部と上記フロントサイドフレーム２の後端部とを連結するように上記ダッシュパネル１に沿って延びる閉断面形状のトルクボックス３２を設け、このトルクボックス３２の後辺部を、上記サイドシル７に近づくに従って車体の後方側に位置するように傾斜させた形状としたため、簡単な構成で車体の剛性を効果的に向上させることができ、車両の衝突時に作用する衝突エネルギーを効果的に吸収できるという利点がある。
【００５１】
すなわち、上記ダッシュパネル１に沿って延びるように設けられた閉断面形状のトルクボックス３２により、サイドシル７の前部と上記フロントサイドフレーム２の後端部とを連結するとともに、上記トルクボックス３２の後壁３５からなる後辺部をサイドシル７に近づくに従って車体の後方側に位置するように傾斜させた構造としたため、車両の前突時に、上記フロントサイドフレーム２からトルクボックス３２に入力された衝突エネルギーの伝達方向を、トルクボックス３２から後部外方側へ変換することにより、上記衝突エネルギーをサイドシル７に対してスムーズに伝達することができる。したがって、車両前突時に、上記フロントサイドフレーム２に入力された衝突エネルギーを車体の全体に分散して、これを効果的に支持できるという利点がある。
【００５２】
また、上記実施形態では、後辺部をサイドシル７に近づくに従って車体の後方側に位置するように傾斜させてなる上記トルクボックス３２を、ダッシュパネル１の下面、具体的には、上記ダッシュロア部１ｂの下面に沿って設置されたボックス状部材により構成したため、上記トルクボックス３２が車室内に突出した状態で設置されることに起因して車室内スペースが狭められる等の弊害を生じることなく、上記形状のトルクボックス３２を配設して車両の前突荷重に対する車体の剛性を効果的に向上させることができる。
【００５３】
しかも、上記実施形態では、ダッシュパネル１の下端部に前上がりの傾斜状態で車両の前後方向に延びるダッシュロア部１ｂを設け、その後端部に上記フロアパネル３の前端部が接続されてなる車両の下部車体構造において、上記トルクボックス３２の後壁外端部３５ａをダッシュロア部１ｂの後端を超える位置まで延設したため、車両の前突時に入力される衝突エネルギーに応じてダッシュロア部１ｂの近傍部が変形すること等を上記トルクボックス３２により効果的に防止できるとともに、このトルクボックス３２を介して上記衝突エネルギーをサイドシル７に効率よく伝達できるという利点がある。
【００５４】
さらに、上記実施形態に示すように、フロアパネルの車幅方向両側方部に配設された閉断面形状のサイドシル７の後端部近傍に、上記フロアフレーム５の後端部を接続するように構成した場合には、フロントサイドフレーム２からフロアフレーム５に入力された衝突エネルギーを支持する支持部材として上記サイドシル７を利用できるため、車両の前突荷重に対する車体の剛性を、簡単な構成でより効果的に向上させることができるという利点がある。
【００５５】
上記実施形態に示すように、フロントサイドフレーム２の後端部からフロアパネル３に沿って車両の後方側へ延びるように設置されたフロアフレーム５の前部に上記トルクボックス３２を接続した構造とした場合には、車両の前突時に、フロントサイドフレーム２に入力された衝突エネルギーを、上記トルクボックス３２からサイドシル７およびフロアフレーム５に分散させて効率よく伝達することができるため、上記衝突エネルギーを、さらに効果的に支持できるという利点がある。
【符号の説明】
【００５６】
１  ダッシュパネル
２  フロントサイドフレーム
３  フロアパネル
４  トンネル部
５  フロアフレーム
６  フロアサブフレーム
７  サイドシル
９  リヤサイドフレーム
３２  トルクボックス
３５  後壁（後辺部）
【図１】
2010167819.tif 000003
【図２】
2010167819.tif 000004
【図３】
2010167819.tif 000005
【図４】
2010167819.tif 000006
【図５】
2010167819.tif 000007
【図６】
2010167819.tif 000008
【図７】
2010167819.tif 000009
【図８】
2010167819.tif 000010
【図９】
2010167819.tif 000011